(57)【特許請求の範囲】
【請求項１】
上下方向に少なくとも三つ以上の断熱区画された貯蔵室を設けた断熱箱体と、前記貯蔵室の前面開口部に備えられた扉と、前記断熱箱体の天面後方に凹み部を有するとともに前記凹み部に圧縮機を備え、前記凹み部によって最上部の貯蔵室の天面奥部を形成する断熱壁が段差状に形成された段差部を有し、前記断熱箱体は発泡断熱材を充填発泡して形成されるものであり、前記貯蔵室の中で最も前面開口面積が大きい最上部の貯蔵室を囲んで形成する前記段差部も含めた断熱壁が前記最上部の貯蔵室より下方に位置する断熱区画用の仕切体の少なくとも一つと共に、前記断熱箱体と前記発泡断熱材で一体成形された冷蔵庫。
【請求項２】
凹み部は両側に側壁を有し、前記側壁を形成する外箱と内箱で構成される空間内に補強材を備え、断熱箱体に発泡断熱材を充填発泡する際に、前記断熱箱体の最上部の貯蔵室を形成する断熱区画と前記凹み部の側壁とを同時に充填発泡することで、前記最上部の貯蔵室の断熱壁および前記凹み部の側壁が前記補強材を埋設して一体成形される請求項１に記載の冷蔵庫。
【請求項３】
補強材は、凹み部の前記側壁内を前方および下方に延びたくの字型であり、前方側の端部は前記凹み部の前壁面より前方まで延出し、かつ下方側の端部は底壁面より下方まで延出するように埋設された請求項２に記載の冷蔵庫。
【請求項４】
凹み部を覆うカバー部材を備え、前記カバー部材は凹み部の側壁に備えられた補強材に固定されるものである請求項２または３に記載の冷蔵庫。
【請求項５】
冷蔵庫運搬用の取っ手を有し、前記取っ手は、前記凹み部の左右方向に渡って備えられるとともに前記凹み部の両側壁の前記補強材に固定されるものである請求項２または３に記載の冷蔵庫。
【請求項６】
最上部の貯蔵室内と圧縮機との間に位置する断熱壁の少なくとも一部に真空断熱材を備えた請求項１から５のいずれか一項に記載の冷蔵庫。
【請求項７】
最上部の貯蔵室の扉は回転式扉であり、前記回転式扉の保持部は、一体形成された断熱壁に備えられるものである請求項１から６のいずれか一項に記載の冷蔵庫。
【発明の詳細な説明】
【技術分野】
【０００１】
本発明は圧縮機を天面部に積載した冷蔵庫に関するものである。
【背景技術】
【０００２】
近年、冷蔵庫は地球環境保護の観点から更なる省エネルギー化が進むとともに、その使い勝手や収納性の向上が求められている。
【０００３】
従来この種の冷蔵庫は、最下部に配設された貯蔵室の収納容積のアップを図る目的のために、断熱箱体の貯蔵室内最上部の後背部が下がるように窪ませた凹部を設け、その凹部に冷凍サイクルの構成機器を収納するという方法がとられていた（例えば、特許文献１参照）。
【０００４】
図１３は特許文献１に記載された従来の冷蔵庫の断面図を示すものである。
【０００５】
図に示すように、断熱箱体１の外壁を形成する外箱２と、断熱箱体１の庫内壁を形成する内箱３と、外箱２と内箱３の間に発泡充填させたウレタン断熱材４からなり、上から順に、冷蔵室５、冷凍室６、野菜室７を有し、冷蔵室５の前面開口には、冷蔵室回転扉８を設けている。また、断熱箱体１の中央から下方部に位置する冷凍室６と野菜室７は収納性と使い勝手を考慮して、簡易に取り出しが行える引出しタイプの冷凍室引出し扉９と野菜室引出し扉１２を設けてある。
【０００６】
断熱箱体１に設けた凹部２０は、外箱上面２１と外箱背面２２に渡る天面後背部を冷蔵室５の最上部の後背部が下がるように窪ませた箇所である。凹部２０はその左右が断熱箱体１の左右壁にて塞がれ上方および背方に開放しており、この凹部２０の開放部は、上板２３とこれにほぼ直角な背板２４とからなる凹部カバー２５にて覆われている。また、凹部カバー２５はネジなどにて断熱箱体１に取外し可能に固定されている。
【０００７】
冷凍サイクルの構成機器である圧縮機３１と凝縮器３２は、機械室ファン３３と共に凹部２０内に収まるように配設され、凹部カバー２５にて覆われている。また、凹部カバー２５の上板２３と背板２４には、放熱のために複数の通風孔３４が設けられている。
【０００８】
また、冷凍サイクルの構成機器である蒸発器３５は冷凍室６の後背部に冷却ファン３６と共に配設されており、最下部の貯蔵室である野菜室７は奥行き深く構成してある。
【０００９】
これにより、断熱箱体１の背面下部に圧縮機３１や凝縮器３２を収納するものと比較して、野菜室７の内容積を大きく、深く構成できる。また、高圧機器を断熱箱体１の上部に配置しても、最下部の貯蔵室である野菜室７への収納重量の増加により、断熱箱体本体１の重心が下がり安定化が図れる。
【特許文献１】特開２００１−９９５５２号公報
【発明の開示】
【発明が解決しようとする課題】
【００１０】
しかしながら、上記従来の構成では、凹部に冷蔵庫の騒音・振動発生源である圧縮機や圧縮機を冷却する機械室ファンを収納することから、これらの音は、凹部を介し庫内へ透過する。特に使用者が冷蔵庫回転扉を開けた場合に、冷蔵庫正面側へ漏れやすく、その結果、人間の耳の高さに近いため、騒音が非常に気になるといった課題があった。
【００１１】
また、断熱箱体のフレームは、例えば２ｍｍ程度の薄肉ＡＢＳでできた内箱及び外箱で内部の断熱材を覆う３層構造となるが、断熱箱体上部は凹部により矩形形状ではなく異形となるため、強度が不十分であった。したがって、圧縮機および機械室ファンが動作する時、これらによる振動が断熱箱体に直接的に伝播すると、冷蔵庫本体が共振して大きな振動を発生させる。さらにこれらの振動が他の部品（例えば、冷蔵庫内の食品収納棚）へ伝播し、その部品が振動することによるびびりや騒音が発生するといった課題があった。
【００１２】
本発明は、上記従来の課題を解決するもので、圧縮機や機械室ファンという音源を断熱箱体の天面部に設置する冷蔵庫において、その音源から発生する騒音の抑制と、振動の伝播を抑制し、低騒音の冷蔵庫を提供することを目的とする。
【課題を解決するための手段】
【００１３】
上記従来の課題を解決するために、本発明の冷蔵庫は、上下方向に少なくとも三つ以上の断熱区画された貯蔵室を設けた断熱箱体と、前記貯蔵室の前面開口部に備えられた扉と、前記断熱箱体の天面後方に凹み部を有するとともに前記凹み部に圧縮機を備え、前記凹み部によって最上部の貯蔵室の天面奥部を形成する断熱壁が段差状に形成された段差部を有し、前記断熱箱体は発泡断熱材を充填発泡して形成されるものであり、前記貯蔵室の中で最も前面開口面積が大きい最上部の貯蔵室を囲んで形成する前記段差部も含めた断熱壁が前記最上部の貯蔵室より下方に位置する断熱区画用の仕切体の少なくとも一つと共に、前記断熱箱体と前記発泡断熱材で一体成形されたものである。
【００１４】
これによって、最上部の貯蔵室の剛性が高くなり、最上段の貯蔵室の天面部に配置された圧縮機から発生した振動が冷蔵庫本体への振動伝播するのを抑制することができる。また、圧縮機から発生した振動が他の部品（例えば、冷蔵庫内の食品収納棚）へ伝播し、その部品が振動することによるびびりや騒音が発生するのを抑制することができる。
【発明の効果】
【００１５】
本発明の冷蔵庫は、圧縮機から発生した振動が冷蔵庫本体への振動伝播するのを抑制することができるので、圧縮機を天面に配置した冷蔵庫において低振動および低騒音化を実現した冷蔵庫を提供することができる。
【発明を実施するための最良の形態】
【００１６】
請求項１に記載の発明は、上下方向に少なくとも三つ以上の断熱区画された貯蔵室を設けた断熱箱体と、前記貯蔵室の前面開口部に備えられた扉と、前記断熱箱体の天面後方に凹み部を有するとともに前記凹み部に圧縮機を備え、前記凹み部によって最上部の貯蔵室の天面奥部を形成する断熱壁が段差状に形成された段差部を有し、前記断熱箱体は発泡断熱材を充填発泡して形成されるものであり、前記貯蔵室の中で最も前面開口面積が大きい最上部の貯蔵室を囲んで形成する前記段差部も含めた断熱壁が前記最上部の貯蔵室より下方に位置する断熱区画用の仕切体の少なくとも一つと共に、前記断熱箱体と前記発泡断熱材で一体成形されたものである。
【００１７】
これによって、最上段の貯蔵室の剛性が高くなり、最上段の貯蔵室の天面部に配置された圧縮機から発生した振動が冷蔵庫本体への振動伝播するのを抑制することができる。また、圧縮機から発生した振動が他の部品（例えば、冷蔵庫内の食品収納棚）へ伝播し、その部品が振動することによるびびりや騒音が発生するのを抑制することができる。
また、最上部の貯蔵室が単純な矩形形状ではなく、剛性の弱くなりがちな段差部を有した複雑な形状となった場合でも、最上部の貯蔵室の剛性を高めることができ、最上部の貯蔵室の天面奥部に配置された圧縮機から発生した振動が冷蔵庫本体への振動伝播するのを抑制することができる。また、圧縮機から発生した振動が他の部品（例えば、冷蔵庫内の食品収納棚）へ伝播し、その部品が振動することによるびびりや騒音が発生するのを抑制することができる。
また、圧縮機の前方側を断熱壁で形成していることにより、冷蔵庫の前面側への騒音伝達を抑制し、さらに、凹み部も最上段の貯蔵室と一体成形されていることにより、圧縮機から庫内へ伝達する騒音の漏れを減少させることができるので、冷蔵庫の騒音を低減することができる。
【００１８】
請求項２に記載の発明は、凹み部は両側に側壁を有し、前記側壁を形成する外箱と内箱で構成される空間内に補強材を備え、断熱箱体に発泡断熱材を充填発泡する際に、前記断熱箱体の最上部の貯蔵室を形成する断熱区画と前記凹み部の側壁とを同時に充填発泡することで、前記最上部の貯蔵室の断熱壁および前記凹み部の側壁が前記補強材を埋設して一体成形されたものである。
【００１９】
これによって、圧縮機の前方および左右が断熱壁で囲われていることにより、冷蔵庫の前面側への騒音伝達を抑制し、さらに凹み部の側壁も断熱箱体と一体成形されていることにより、圧縮機から庫内へ伝達する騒音の漏れを減少させることができるので、冷蔵庫の騒音を低減することができる。
さらに、剛性の弱くなりがちな凹み部の側壁の強度を高めることができるので、圧縮機の振動により合成の弱い側壁が振動することによって、凹み部内に備えられた部品（例えば、冷媒配管や制御基盤等々）へ伝播し、その部品が振動することによるびびりや騒音が発生するのを抑制することができる。
【００２１】
請求項３に記載の発明は、補強材は、凹み部の前記側壁内を前方および下方に延びたくの字型であり、前方側の端部は前記凹み部の前壁面より前方まで延出し、かつ下方側の端部は底壁面より下方まで延出するように埋設されたものである。
【００２２】
これによって、補強部材はくの字型に配置されており、それぞれ側壁への投影では凹み部内空間と凹み部の前方の壁面および下方の底壁面へ渡って長い距離に渡って備えられているため、側壁と直行する断熱壁である凹み部の前面側の壁面および下方側の底壁面に支えられて、側壁を連続した断熱箱体の一部として支持することができ、凹み部の開口部強度を高めることができる。
【００２３】
請求項４に記載の発明は、凹み部を覆うカバー部材を備え、前記カバー部材は凹み部の側壁に備えられた補強材に固定されるものである。
【００２４】
これによって、カバー部材の強度を高めることができるので、圧縮機の振動によりカバー部材が振動することによるびびりや騒音が発生するのを抑制することができる。
【００２５】
請求項５に記載の発明は、冷蔵庫運搬用の取っ手を有し、前記取っ手は、前記凹み部の左右方向に渡って備えられるとともに前記凹み部の両側壁の前記補強材に固定されるものである。
【００２６】
これによって、取っ手は補強部材を介して、凹み部の開口部に凹み部の左右に渡って取り付けることとなり、凹み部の空間部によって強度が弱くなった断熱箱体の凹み部周辺の強度を大きく向上させることができ、凹み部の側壁を連続した剛体として構成できるため、さらに冷蔵室の強度を高めることができる。
【００２７】
請求項６に記載の発明は、最上部の貯蔵室内と圧縮機との間に位置する断熱壁の少なくとも一部に真空断熱材を備えたものである。
【００２８】
これによって、圧縮機と庫内との間に位置する発泡断熱材の騒音透過に対する減衰効果に加えて、さらに芯材材料として異種または構造の異なる真空断熱材を複層構造とすることによって、さらに騒音透過に対する減衰効果を高めるとともに単一材料で遮音する場合と比べてより広い周波数域における騒音を減衰することができるので、庫内へ伝達する騒音の漏れを減少させることができ、冷蔵庫の騒音を低減することができる。
【００２９】
また、高温となる圧縮機と庫内との間に発泡断熱材と、芯材材料として異種または構造の異なるとともに高断熱性を有する真空断熱材とを複層構造することによって、圧縮機からのから最上部の貯蔵室への熱侵入量を大幅に低減することができるので、冷蔵庫の消費電力を図ることができる。
【００３０】
請求項７に記載の発明は、最上部の貯蔵室の扉は回転式扉であり、前記回転式扉の保持部は、一体形成された断熱壁に備えられるものである。
【００３１】
これによって、扉を保持する部分が断熱箱体と一体化するため、扉に収納された食品の重量などの冷蔵庫に負荷された荷重を、断熱箱体全体で支持することができ、回転式扉によって回転扉の保持部付近の断熱箱体の剛性が低下する傾向があった冷蔵庫において、冷蔵庫本体の剛性を向上させることができると共に断熱箱体の変形によって冷蔵室の回転式扉の下がりを防止することができる。
【００３２】
以下、本発明による冷蔵庫の実施の形態について、図面を参照しながら説明する。なお、この実施の形態によってこの発明が限定されるものではない。
【００３３】
（実施の形態１）
以下、本発明の実施の形態を図１に基づいて説明する。図１は、本発明の実施の形態１における冷蔵庫の概略断面図である。
【００３４】
図において、冷蔵庫本体１００の断熱箱体１０１は３つの断熱区画に区分されており、最上部の貯蔵室は冷蔵室１１０であり、真ん中の貯蔵室は野菜室１１１、最下部の貯蔵室は冷凍室１１２である。各断熱区画にはそれぞれ断熱扉が設けられており、上から回転式扉である冷蔵室扉１１０ａ、引き出し式の扉である野菜室扉１１１ａおよび冷凍室扉１１２ａである。冷蔵室１１０に備えられた冷蔵室扉１１０ａの庫内側には複数の扉ポケット１１０ｂが収納スペースとして備えられており、庫内には複数の食品収納棚１１０ｃが備えられている。
【００３５】
冷凍サイクルを構成する機器である圧縮機１２０は断熱箱体１０１の天面部に弾性部材であるグロメット１２０ａ備えられており、冷蔵室１１０の間の断熱壁には発泡断熱材１３２に加えて、真空断熱材１４０が備えられている。圧縮機１２０は低騒音、低振動化を図りやすい内部低圧型でかつ往復動型の圧縮機である。また、冷凍サイクル内の冷媒としては、地球環境保全の観点から地球温暖化係数が小さい可燃性冷媒であるイソブタンが使用されている。
【００３６】
また、断熱箱体１０１は、冷蔵庫の天面部および側面部および背面部および底面部を囲うように形成された外箱１３０と内箱１３１からなる空間に発泡断熱材１３２を充填して断熱箱体１０１としている。この断熱箱体１０１に発泡断熱材１３２を充填する際、冷蔵室を断熱区画する仕切体１３３に発泡断熱材１３２を同時に充填することで、冷蔵室１１０を囲むように形成する断熱壁の全ての面（扉を除く）を発泡断熱材１３２で一体成形する構造としている。
【００３７】
この場合、具体的には、冷蔵室１１０の周りの扉を除いた５面、すなわち、天面、両側面、背面、そして仕切体１３３で形成される底面の５面が硬質発泡ウレタン等の発泡断熱材１３２で同時に一体発泡成形されるものである。
【００３８】
以上のように構成された冷蔵庫について、以下その動作、作用を説明する。
【００３９】
圧縮機１２０の圧縮動作により吐出された高温高圧の冷媒は、凝縮器（図示せず）にて熱交換して放熱するとともに凝縮液化し、減圧器（図示せず）に至る。その後、減圧器によって減圧されて蒸発器（図示せず）に至り、再び圧縮機へと吸入される。
【００４０】
この時、圧縮機１２０にて圧縮動作を行う場合に、大きな振動が発生し、この圧縮機１２０からの振動が冷蔵庫の振動発生源となるが、圧縮機を天面に配置している冷蔵室１１０を囲んで形成する断熱壁の全ての面を発泡断熱材１３２で一体成形する構造としているので、冷蔵室１１０を区画形成する筐体の剛性が高くなっており、圧縮機１２０から発生する振動が冷蔵庫本体への振動伝播するのを抑制することができる。また、圧縮機から発生した振動が他の部品（例えば、冷蔵庫内の食品収納棚１１０ｃ）へ伝播し、その部品が振動することによるびびりや騒音が発生するのを抑制することができる。
【００４１】
また、圧縮機１２０を天面に配置している冷蔵室１１０を形成する断熱壁を一体構造としており、さらに、圧縮機と最も近い貯蔵室である冷蔵室との間の断熱壁には発泡断熱材１３２に加えて真空断熱材１４０が備えられているので、高温の圧縮機１２０から冷蔵室１１０への熱量の侵入を防止することができ、圧縮機から最上部の貯蔵室への熱侵入量を大幅に低減することができるので、冷蔵庫の消費電力を図ることができる。さらに圧縮機と庫内との間に位置する発泡断熱材の騒音透過に対する減衰効果に加えて、さらに芯材材料として異種または構造の異なる真空断熱材を複層構造とすることによって、騒音透過に対する減衰効果を一層高めることができるとともに単一材料で遮音する場合と比べてより広い周波数域における騒音を減衰することができるので、庫内へ伝達する騒音の漏れを減少させることができ、冷蔵庫の騒音を低減することができる。
【００４２】
また、圧縮機は内部低圧型の圧縮機を用いているので、冷媒の圧縮を行う機械部が圧縮機の外郭である密閉容器に対してスプリング等の弾性部材を介して支持されているので、圧縮動作に伴う振動が密閉容器に直接伝播せず、さらに密閉容器は弾性部材であるグロメット１２０ａを介して断熱箱体１０１に配設されているので、圧縮機１２０の振動が断熱箱体に伝播するのを防いでいる。
【００４３】
このように、本実施の形態の冷蔵庫は、圧縮機１２０から発生した振動が冷蔵庫本体へ振動伝播するのを抑制することができるので、圧縮機１２０を断熱箱体１０１の天面に配置した冷蔵庫において低振動および低騒音化を実現した冷蔵庫を提供することができる。
【００４４】
（実施の形態２）
以下、本発明の実施の形態を図２から図４に基づいて説明する。図２は、本発明の実施の形態２における冷蔵庫の概略断面図である。図３は本発明の実施の形態２における冷蔵庫の凹み部の断熱発泡前の構成を示す斜視図である。図４は、本発明の実施の形態２における冷蔵庫の断熱発泡後の構成を示す斜視図である。
【００４５】
図において、冷蔵庫本体２００の断熱箱体２０１は５つの断熱区画に区分されており、最上部より冷蔵室２１０、切り替え室２１１、野菜室２１２、最下部の貯蔵室は冷凍室２１３である。また、切り替え室２１１に隣接して製氷室（図示せず）が形成されている。各断熱区画にはそれぞれ断熱扉が設けられており、回転式の扉である冷蔵室扉２１０ａ、引き出し式の扉である切り替え室扉２１１ａ、野菜室扉２１２ａおよび冷凍室扉２１３ａである。冷蔵室２１０に備えられた冷蔵室扉２１０ａの庫内側には複数の扉ポケット２１０ｂが収納スペースとして備えられており、庫内には複数の食品収納棚２１０ｃが備えられている。
【００４６】
冷凍サイクルを構成する機器である圧縮機２２０は断熱箱体２０１の天面部の背面側に形成された凹み部２５０に配設されており、天面部に弾性部材であるグロメット２２０ａを介して備えられており、圧縮機２２０と冷蔵室２１０との間の断熱壁には発泡断熱材２３２に加えて、真空断熱材２４０が圧縮機の前面側と底面側に相当する位置の凹み部２５０の前壁面２５０ａ及び底面２５０ｂに備えられている。圧縮機１２０は低騒音、低振動化を図りやすい内部低圧型でかつ往復動型の圧縮機である。また、冷凍サイクル内の冷媒としては、地球環境保全の観点から地球温暖化係数が小さい可燃性冷媒であるイソブタンが使用されている。
【００４７】
また、断熱箱体２０１の凹み部は左右に側壁２６０を備えており、凹み部２５０は、例えば、天面部および側面部および底面部の外枠を形成する外板２３０ａと、背面部の外枠を形成する外板２３０ｂと、凹み部２５０の形状に応じて形成された高い剛性を有する外板２３０ｃとにより構成される外箱２３０により断熱箱体２０１の外枠を形成している。
【００４８】
また、この凹み部の外枠を形成する外板２３０ｃ上には圧縮機２２０が配置されるため、断熱箱体の他の外枠部分よりも剛性が高くなるように設計してある。また、凹み部２５０は、圧縮機等が収納された後、カバー２３３により覆われる。カバー２３３には、凹み部内の空気の流動を促進する通風穴２３４が設けられている。さらに、凹み部２５０の側壁２６０の内部には、側壁の強度を上げるとともに、発泡断熱材の充填の際の変形を防止する目的で補強部材２３５が埋設されている。この補強部材２３５は、側壁２６０の上部背面側角部２６０ａ付近から前方および下方に延びたくの字型の鉄材からなり、前方側の端部２３５ａは凹み部２５０の前壁面２５０ａより前方まで延び、下方側の端部２３５ｂは凹み部２５０の底面２５０ｂよりも下方まで延びるように補強部材２３５が埋設されている。
【００４９】
また、凹み部２５０のカバー２３３や冷蔵庫運搬用の取っ手２３６は、側壁２６０に埋設された補強部材２３５にビスなどにより固定されている。
【００５０】
この冷蔵庫運搬用の取っ手２３６は両端部が凹み部２５０の両側壁に固定されるとともに前記機械室の左右方向に渡って備えられたハンドル用バーであり、凹み部２５０の背面側の左右方向における強度を補強する補強機能を備えている。
【００５１】
このように断熱箱体２０１は凹み部２５０を設けているため、冷蔵室２１０の庫内空間には段差部２５１が形成されている。
【００５２】
また、断熱箱体２０１は、冷蔵庫の天面部および側面部および背面部および底面部を囲うように形成された外箱２３０と内箱２３１からなる空間に発泡断熱材２３２を充填して断熱箱体２０１としている。この断熱箱体２０１に発泡断熱材２３２を充填する際、冷蔵室を断熱区画する仕切体２３７および冷蔵室２１０に次いで前面開口面積の大きい冷凍室２１３を断熱区画する仕切体２３８と断熱箱体２０１とに発泡断熱材２３２を同時に充填することで、冷蔵室２１０および冷凍室を形成する断熱壁を一体構造としている。冷蔵室は段差部２５１を有しているため、複雑な形状となっているが、この段差部２５１も含めて冷蔵室を形成する断熱壁はすべて一体形成されている。
【００５３】
このように発泡断熱材２３２を充填する際に凹み部２５０においては、天面部および側面部および底面部の外枠を形成する外板２３０ａと、背面部の外枠を形成する外板２３０ｂと、凹み部２５０の形状に応じて形成された高い剛性を有する外板２３０ｃとにより構成される外箱２３０を組み立てた上で、凹み部２５０の底面および内箱２３１との間の内箱側に真空断熱材２４０を埋設し、凹み部の側壁２６０の外箱側に補強部材２３５とを備えた上で、発泡断熱材２３２を充填することで、凹み部２５０周辺は高い強度で形成される。
【００５４】
以上のように構成された冷蔵庫について、以下その動作、作用を説明する。
【００５５】
圧縮機２２０の圧縮動作により吐出された高温高圧の冷媒は、凝縮器（図示せず）にて熱交換して放熱するとともに凝縮液化し、減圧器（図示せず）に至る。その後、減圧器によって減圧されて蒸発器（図示せず）に至り、再び圧縮機へと吸入される。
【００５６】
この時、圧縮機２２０にて圧縮動作を行う場合に、大きな振動が発生し、この圧縮機２２０からの振動が冷蔵庫の振動発生源となるが、圧縮機を天面に配置している冷蔵室２１０を形成する断熱壁を一体構造としているので、複雑な形状をした冷蔵室２１０であっても、冷蔵室２１０を形成する断熱壁の剛性が高くなっており、圧縮機２２０から発生する振動が冷蔵庫本体への振動伝播するのを抑制することができる。また、圧縮機から発生した振動が他の部品（例えば、冷蔵庫内の食品収納棚２１０ｃ）へ伝播し、その部品が振動することによるびびりや騒音が発生するのを抑制することができる。
【００５７】
また、開口面積が大きいために剛性が弱くなりがちな冷凍室２１３を形成する断熱壁も断熱箱体２０１と一体形成されているため、開口面積の広い冷凍室２１３の剛性を向上させることができ、結果的に冷蔵庫の断熱箱体全体の剛性を向上させることができるので、圧縮機を天面部に配置する為に振動が大きくなりがちな冷蔵庫においても、圧縮機から発生した振動が冷蔵庫本体への振動伝播するのを抑制することができる。
【００５８】
また本実施の形態では、冷蔵室２１０の中で、圧縮機の振動が直接的に伝達する凹み部２５０周辺の剛性を高めるためにさまざまな工夫を凝らしている。
【００５９】
まず、冷蔵室２１０を形成する断熱壁を一体構造とする際に、凹み部２５０を形成する断熱壁には、凹み部２５０の形状に応じて形成された外板２３０ｃを別部品として高い剛性を有するように設計し、これらを備えた上で発泡断熱材２５３を充填することで一体成形しており、さらに、圧縮機２２０と冷蔵室２１０との間の断熱壁である凹み部２５０には発泡断熱材２３２に加えて真空断熱材２４０が備えられている。
【００６０】
この真空断熱材２４０は発泡断熱材２３２と比べて剛性が高いため、凹み部２５０の補強部材としての効果を奏する。また真空断熱材２４０は発泡断熱材２３２よりも断熱効果が２〜３倍程度に高い為、高温の圧縮機２２０から冷蔵室２１０への熱量の侵入を防止することができ、圧縮機から最上部の貯蔵室への熱侵入量を大幅に低減することができるので、冷蔵庫の消費電力の抑制を図ることができる。
【００６１】
さらに圧縮機２２０と冷蔵室２１０の庫内との間に位置する発泡断熱材の騒音透過に対する減衰効果に加えて、さらに芯材材料として異種または構造の異なる真空断熱材を複層構造とすることによって、騒音透過に対する減衰効果を一層高めることができるとともに単一材料で遮音する場合と比べてより広い周波数域における騒音を減衰することができるので、庫内へ伝達する騒音の漏れを減少させることができ、冷蔵庫の騒音を低減することができる。
【００６２】
さらに、凹み部２５０の側壁には補強材２３５が備えられているので、剛性の弱くなりがちな凹み部の側壁の強度を高めることができるので、圧縮機の振動により合成の弱い側壁が振動することによって、凹み部内に備えられた部品（例えば、冷媒配管や制御基盤等々）へ伝播し、その部品が振動することによるびびりや騒音が発生するのを抑制することができる。
【００６３】
また、補強部材２３５は、凹み部２５０の奥行きおよび深さ方向にくの字型に配置されており、それぞれ側壁への投影では凹み部２５０内空間と凹み部２５０の前壁面２５０ａおよび底面２５０ｂへ渡って長い距離に渡って備えられているため、側壁２６０と直行する断熱壁である凹み部２５０の前壁面２５０ａおよび底面２５０ｂに支えられて、側壁２６０を連続した断熱箱体の一部として支持することができ、凹み部２５０の開口部強度を高めることができる。
【００６４】
また、取っ手２３６を補強部材２３５を介して、凹み部２５０の開口部に凹み部２５０の左右を横断するように取り付けることにより、凹み部２５０の空間部によって強度が弱くなった断熱箱体の凹み部周辺の強度を大きく向上させることができ、凹み部２５０の側壁を連続した剛体として構成できるため、さらに冷蔵室２１０の強度を高めることができる。
【００６５】
また、凹み部を覆うカバー２３３は凹み部２５０の側壁２６０の補強材２３５に固定されているので、カバー部材の強度を高めることができ、圧縮機の振動によりカバー部材が振動することによるびびりや騒音が発生するのを抑制することができる。
【００６６】
また、カバー２３３には、凹み部２５０内の空気の流動を促進する通風穴２３４が設けられているため、効果的に凹み部内の空気を循環させることができる。これにより、圧縮機の温度上昇を抑制することができ、冷蔵庫の消費電力の抑制を図ることができる。
【００６７】
このように、本実施の形態の冷蔵庫は、圧縮機２２０から発生した振動が冷蔵庫本体へ振動伝播するのを抑制することができるので、圧縮機２２０を断熱箱体２０１の天面に配置した冷蔵庫において低振動および低騒音化を実現した冷蔵庫を提供することができる。
【００６８】
また、断熱箱体２０１の天面奥部の凹み部２５０に圧縮機２２０を配設しており、圧縮機は前面側も側壁側も断熱壁で囲われていることで、圧縮機から発生する騒音が冷蔵庫の前面側に漏洩するのを防止することができる。
【００６９】
また、圧縮機は内部低圧型の圧縮機を用いているので、冷媒の圧縮を行う機械部が圧縮機の外郭である密閉容器に対してスプリング等の弾性部材を介して支持されているので、圧縮動作に伴う振動が密閉容器に直接伝播せず、さらに密閉容器は弾性部材であるグロメット２２０ａを介して断熱箱体２０１に配設されているので、圧縮機２２０の振動が断熱箱体に伝播するのを防いでいる。
【００７０】
このように、本実施の形態の冷蔵庫は、圧縮機２２０から発生した振動が冷蔵庫本体へ振動伝播するのを抑制することができるので、圧縮機２２０を断熱箱体２０１の天面に配置した冷蔵庫において低振動および低騒音化を実現した冷蔵庫を提供することができる。
【００７１】
なお、本発明においては、真空断熱材２４０が圧縮機の前面側と底面側に相当する位置の凹み部２５０の前壁面２５０ａ及び底面２５０ｂに備えられているが、冷蔵庫の設計やコストの関係上、少なくともどちらか一方のみ備える場合もある。
【００７２】
なお、本発明においては、側壁２６０の補強部材２３５は、くの字状の形状としたが、側面への投影面において、凹み部２５０の空間から前壁面２５０ａおよび底面２５０ｂへ渡って備えられているような形状であれば他の形状であっても、側壁２６０と直行する断熱壁である凹み部２５０の前壁面２５０ａおよび底面２５０ｂに支えられて、側壁２６０を連続した断熱箱体の一部として支持することができ、凹み部２５０の開口部強度を高めることができる。
【００７３】
（実施の形態３）
以下、本発明の実施の形態を図５〜図１２に基づいて説明する。図５は、本発明の実施の形態３における冷蔵庫の正面図、図６は、本発明の実施の形態３における冷蔵庫の扉を開けた状態のキャビネットの正面図、図７は、図５のＢ−Ｂ線断面図を示すものである。
【００７４】
図に示すように冷蔵庫３１６のキャビネット３１７は、仕切体３１８、３１９、３２０、３２１により区画され、上から冷蔵室３２２、切替室３２３、製氷室３２４、野菜室３２５、冷凍室３２６となっている。冷蔵室扉３２２ａは回転式扉、切替室扉３２３ａ、製氷室扉３２４ａ、野菜室扉３２５ａ、冷凍室扉３２６ａは引出し式扉である。前記回転式の冷蔵室扉３２２ａはキャビネット３１７の上面と仕切体３１８で保持している。キャビネット３１７は外箱３２７と内箱３２８からなる空間に発泡断熱材３２９を充填して断熱箱体としている。キャビネット３１７に発泡断熱材３２９を充填する際、冷蔵室を区画する仕切体３１８と、仕切体３１８の真下に位置する仕切体３１９にも同時に発泡断熱材３２９を充填することで、仕切体３１８，３１９とキャビネット３１７を、発泡断熱材３２９を介した一体構造としている。
【００７５】
また、キャビネット３１７は、天面部の後方側に窪ませた凹み部３３０を設け、その中に圧縮機３３１を弾性部材３３２を介して配置している。
【００７６】
また、仕切体３１９にて区画される仕切体３１９以下の空間の奥面には冷却器３３３が配設されている。冷却器３３３を配設後に、仕切体３２０を取付け、仕切体３１９以下の空間を、野菜室３２５、冷凍室３２６に分割する。
【００７７】
また、製氷室３２４内には製氷装置３３４が存在する。製氷装置３３４へ給水するための給水タンク３３５は冷蔵室３２２内に存在し、仕切体３１８を貫通する給水経路３３６を経由して製氷室３２４内の製氷装置３３４に給水される。
【００７８】
図８は、凹み部３３０を示す斜視図である。凹み部３３０は、例えば、外板３２７ａと外板３２７ｂにより構成される外箱３２７の天面後方部を切り欠き、外板３２７ｃにより前述の切り欠き部を覆うような構成になっている。
【００７９】
図９は仕切体３１８の分解斜視図である。図１０は、仕切体３１８の下面図である。図に示すように、仕切体３１８は、上蓋３３７と下蓋３３８で囲まれた空間に、発泡断熱材３２９を充填して構成する。但し、製氷室３２４の天井部分には断熱部材３３９が挿入されている。上蓋３３７、下蓋３３８、断熱部材３３９には、製氷室３２４への給水経路のための穴３４０があいている。仕切体３１８の上下面は、断熱部材３３９が存在する部分以外は極端な凹凸のない平面となっている。また、仕切体３１８は、穴群３３８ａ、穴群３３８ｂ、穴３３８ｃを介して、断熱部材３３９により、キャビネット３１７と一体化している。
【００８０】
図１１は、仕切体３１９の分解斜視図である。図１２は、仕切体３１９の上面図である。図に示すように、仕切体３１９は、上蓋３４１と下蓋３４２で囲まれた空間に、発泡断熱材３２９を充填して構成する。但し、上蓋３４１と下蓋３４２には、冷却器３３３からの冷気の通り道となる風路のための穴３４３があいており、穴３４３は、別体の断熱部材３４４で構成されている。仕切体３１９の上下面は、断熱部材３４４が存在する部分以外は極端な凹凸のない平面となっている。また、仕切体３１９は、仕切体３１８と同様に、穴群３４２ａ、穴群３４２ｂ、穴群３４２ｃを介して、断熱部材３３９により、キャビネット３１７と一体化している。
【００８１】
以上のように構成された冷蔵庫は、発泡断熱材３２９を介してキャビネット３１７と一体化している仕切体３１８，３１９によって、従来の冷蔵庫よりも細かく区画されていると共に冷蔵室扉３２２ａを支える仕切体３１８がキャビネット３１７と一体化しているため、扉に収納された食品の重量などの冷蔵庫に負荷された荷重を、バランスよく分散・支持することができ、冷蔵室の剛性を向上させることができるので冷蔵室の回転式扉の下がりを防止し、結果的に冷蔵庫本体の剛性を向上させることができる。
【００８２】
また、仕切体３１８には給水経路のための穴が存在するため、仕切体３１８を介して冷蔵室から製氷室へ水が流れて行くことができる。同様に、仕切体３１９にも風路のための穴３４３があいているため、仕切体３１９を介して冷却器３３３と冷蔵室３２２、切替室３２３、製氷室３２４の間を冷気が循環したりすることができる。さらに、仕切体３１８に設けられた給水経路は、給水経路３３６と断熱部材３３９で構成されるため、Ｌ字型に屈曲した給水経路を容易に実現することができる。
【００８３】
キャビネット３１７および、仕切体３１８、３１９に発泡断熱材３２９を充填する際、発泡断熱材３２９の膨張圧でキャビネット３１７ならびに仕切体３１８、３１９の側面が変形するのを治具で押さえつけることで防止する。この時、仕切体３１８、３１９の断熱部材３３９、３４４が挿入されていない部分は極端な凹凸のない平面となっているため、側面を容易に治具で押さえつけることができる。このため、冷蔵庫を大量に生産する際に、その生産稼動率を高めることができる。一方、仕切体３１８の製氷機の取り付く部分や、仕切体３１９の風路のための穴３４３付近は、製氷装置３３４の取り付けのためのツメや凹みなど複雑な凹凸形状が集中しているため、発泡断熱材３２９を充填する際の変形防止用治具の形状や設置方法が複雑になったり、変形を防止したい部分の形状が複雑であるが故に，変形防止治具で効果的に発泡断熱材３２９の膨張圧での変形を抑制できず部品の取り付けが困難になったりする。そこで、上記の複雑な凹凸形状が集中している部分に断熱部材３３９、３４４を挿入し部分的に断熱性を確保しながら発泡断熱材３２９が充填されない様にすることで、変形防止様の治具を部分的に不要にすることができ、冷蔵庫の生産性向上に寄与することができる。
【００８４】
また、仕切体３１９以下に区画された空間の奥面に冷却器３３３を配設することで、少しでも広い空間で冷却器３３３の冷蔵庫への取り付け作業をすることができるようにし、その作業性を向上させることができ、冷蔵庫の生産性向上に寄与することができる。
【産業上の利用可能性】
【００８５】
以上のように、本発明にかかる冷蔵庫は、扉側面への食品収納量が多く保持部にかかる負荷多い回転式扉を，キャビネットと一体構成した仕切体によって保持し，かつ複数枚のキャビネットと一体構成した仕切体により，キャビネットを従来よりも細かく区画することで、キャビネット本体の剛性を向上させることが可能となるので、同様に，凹み部などの強度低下の要因となるような形状を有する箱体の剛性を向上させること等にも適用できる。
【図面の簡単な説明】
【００８６】
【図１】本発明の実施の形態１における冷蔵庫の概略断面図
【図２】本発明の実施の形態２における冷蔵庫の概略断面図
【図３】本発明の実施の形態２における冷蔵庫の凹み部の断熱発泡前の構成を示す斜視図
【図４】本発明の実施の形態２における冷蔵庫の断熱発泡後の構成を示す斜視図
【図５】本発明の実施の形態３における冷蔵庫の正面図
【図６】本発明の実施の形態３における冷蔵庫の扉を開けた状態のキャビネットの正面図
【図７】図５のＢ−Ｂ線断面図
【図８】本発明の実施の形態３における凹み部の斜視図
【図９】本発明の実施の形態３における仕切体の分解斜視図
【図１０】仕切体の下面図
【図１１】仕切体の分解斜視図
【図１２】仕切体の上面図
【図１３】従来の冷蔵庫の断面図
【符号の説明】
【００８７】
１００，２００，３１６  冷蔵庫本体
１０１，２０１  断熱箱体
１１０，２１０，３２２  冷蔵室
１２０，２２０，３３１  圧縮機
１３０，２３０，３２７  外箱
１３１，２３１，３２８  内箱
１３２，２３２，３２９  発泡断熱材
１３３，２３７，２３８  仕切体
１４０，２４０  真空断熱材
２３３  カバー（カバー部材）
２５０，３３０  凹み部
２６０  凹み部の側壁
１１０ａ，２１０ａ，３２２ａ  冷蔵室扉
３３３  冷却器
３３９  断熱部材
３４０  穴
３４３  穴
３４４  断熱部材
３１８，３１９，３２０，３２１  仕切体
【要約】
【課題】断熱箱体の天面部に設置する冷蔵庫において、その音源から発生する騒音の抑制と、振動の伝播を抑制し、低騒音の冷蔵庫を提供する。
【解決手段】断熱箱体１０１の天面部に圧縮機１２０を有する冷蔵庫において，最上部の貯蔵室である冷蔵室１１０を形成する断熱区画に発泡断熱材１３２を同時に充填することで、冷蔵室を一体構成させたことにより，最上部の貯蔵室の剛性が高くなり、最上段の貯蔵室の天面部に配置された圧縮機から発生した振動が冷蔵庫本体への振動伝播するのを抑制することができる。また、圧縮機から発生した振動が他の部品（例えば、冷蔵庫内の食品収納棚）へ伝播し、その部品が振動することによるびびりや騒音が発生するのを抑制することができる。
【選択図】図１
【図１】
0003722154.tif 000002
【図２】
0003722154.tif 000003
【図３】
0003722154.tif 000004
【図４】
0003722154.tif 000005
【図５】
0003722154.tif 000006
【図６】
0003722154.tif 000007
【図７】
0003722154.tif 000008
【図８】
0003722154.tif 000009
【図９】
0003722154.tif 000010
【図１０】
0003722154.tif 000011
【図１１】
0003722154.tif 000012
【図１２】
0003722154.tif 000013
【図１３】
0003722154.tif 000014